(57)【要約】【課題】  ＭＣＣＢをキット化にする事により、一次側配線接続を不要とし、且つ、単体の追加、交換作業を容易に行うことができ、増設作業や交換作業に伴う作業時間の短縮と停電時間の短縮を図り、配電盤の省スペース化を可能とした低圧配線用しゃ断器設備を提供すること。【解決手段】  ベースユニット２２、開閉器ユニット２１、端部ユニット２３Ｌ，２３Ｒにより各部をキット化して必要なユニットを組み合わせて一体化するようにしたので、一次側配線接続が不要となり、単体の追加、交換作業を容易に行うことができ、増設作業や交換作業に伴う作業時間の短縮と停電時間の短縮、配電盤の省スペース化が可能となる。【選択図】図１
2006149118.tif 000002
【特許請求の範囲】
【請求項１】
両端に差込式の連結端子が設けられた一次側導体を有し、この一次側導体の両端連結端子以外の部分が絶縁材により覆われ、かつ、前面に、前記導体から分岐された差込式の分岐端子を配置したベースユニットと、
一次側端子と二次側端子との間にこれら端子間を開閉する接点及びその開閉操作機構が配置され、これら各部は、前記ベースユニットの前面と接合可能な背面を有する絶縁性ケースで覆われ、かつ、前記一次側端子は、前記絶縁性ケースの背面に配置され、前記ベースユニットの分岐端子と差込接接続可能に構成された開閉器ユニットと、
前記ベースユニットの前記連結端子が露出する側面部分と連結可能な形状に絶縁材により形成され、上記ベースユニットとの連結部分には、このベースユニット側の連結端子と差込式に接続可能な連結端子が設けられ、他の外面部分には前記連結端子と導電接続された外部接続端子が設けられた端部ユニットと、
を備えたことを特徴とする低圧配電用しゃ断装置。
【請求項２】
ベースユニットは複数個用意され、これらベースユニットはそれらの側面部分に設けられた連結端子相互の連結により、それぞれの一次側導体が相互に導電接続されていることを特徴とする請求項１に記載の低圧配電用しゃ断装置。
【発明の詳細な説明】
【技術分野】
【０００１】
本発明は、低圧電源分割回路や低圧配電回路等に使用する複数の低圧配電用しゃ断器からなる低圧配電用しゃ断装置に関する。
【背景技術】
【０００２】
低圧電源分割回路や低圧配電回路では、回路の開閉用や、短絡時などの事故電流しゃ断用として絶縁材でモールド形成された複数の配電用しゃ断器（以下、ＭＣＣＢと呼ぶ）が用いられており、その配置構成に関する提案も多く成されている（例えば、特許文献１参照）。
【０００３】
例えば、電源回路を複数に分岐し、各分岐回路をＭＣＣＢを介して負荷側に導出するような場合、従来は図８及び図９で示すように配線構成していた。図８では、複数のＭＣＣＢ１１の図示上部端子（以下、一次側端子と呼ぶ）に対する一次側配線１２を、図示しない電源に接続される母線導体又は電線により配線し、共通接続していた。また、複数のＭＣＣＢ１１の図示下部端子（以下、二次側端子と呼ぶ）には二次側配線１３が個別に接続され、対応する負荷側回路に導出されている。
【０００４】
図９では、配線が盤前面側に露出しないように、ＭＣＣＢ１１の一次側及び二次側端子として、同図（ｂ）に示すように、盤裏面側にバックスタッド端子１４を設置し、これらバックスタッド端子１４を用いて一次側配線１２及び二次側配線１３をそれぞれ配線接続していた。
【０００５】
しかし、このような配線構造では、ＭＣＣＢ１１の増設、撤去及び交換時には、取り付け加工・一次側配線接続作業を必要とし、作業時間も多くかかっていた。このため、停電時間への配慮が必要であり、時間の制約などでハイリスクの作業を余儀なくされていた。又、取り付けスペースが無い時もあり、取付に苦労していた。
【特許文献１】特開平６−１２１４１６号公報
【発明の開示】
【発明が解決しようとする課題】
【０００６】
このように従来技術では、複数のＭＣＣＢを個別に設置し、それらに対する配線も電線や導体を用いて個別に接続するので、増設時や撤去、交換時などにおける作業が煩雑であり、多くの作業時間を要するという問題があった。
【０００７】
本発明の目的は、ＭＣＣＢをキット化にする事により、一次側配線接続を不要とし、且つ、単体の追加、交換作業を容易に行うことができ、増設作業や交換作業に伴う作業時間の短縮と停電時間の短縮を図り、配電盤の省スペース化を可能とした低圧配線用しゃ断装置を提供することにある。
【課題を解決するための手段】
【０００８】
本発明の低圧配電用しゃ断装置は、両端に差込式の連結端子が設けられた一次側導体を有し、この一次側導体の両端連結端子以外の部分が絶縁材により覆われ、かつ、前面に、前記導体から分岐された差込式の分岐端子を配置したベースユニットと、一次側端子と二次側端子との間にこれら端子間を開閉する接点及びその開閉操作機構が配置され、これら各部は、前記ベースユニットの前面と接合可能な背面を有する絶縁性ケースで覆われ、かつ、前記一次側端子は、前記絶縁性ケースの背面に配置され、前記ベースユニットの分岐端子と差込接接続可能に構成された開閉器ユニットと、前記ベースユニットの前記連結端子が露出する側面部分と連結可能な形状に絶縁材により形成され、上記ベースユニットとの連結部分には、このベースユニット側の連結端子と差込式に接続可能な連結端子が設けられ、他の外面部分には前記連結端子と導電接続された外部接続端子が設けられた端部ユニットとを備えたことを特徴とする。
【０００９】
また、本発明では、ベースユニットは複数個用意され、これらベースユニットはそれらの側面部分に設けられた連結端子相互の連結により、それぞれの一次側導体が相互に導電接続されている。
【発明の効果】
【００１０】
本発明によれば、ベースユニット、開閉器ユニット、端部ユニットにより各部をキット化して必要なユニットを組み合わせて一体化するようにしたので、一次側配線接続が不要となり、単体の追加、交換作業を容易に行うことができ、増設作業や交換作業に伴う作業時間の短縮と停電時間の短縮、配電盤の省スペース化が可能となる。
【発明を実施するための最良の形態】
【００１１】
以下、本発明による低圧配電用しゃ断装置の一実施の形態について、図面を用いて詳細に説明する。
【００１２】
図１は、低圧配電用しゃ断装置の全体構成を示し、図２及び図３は、低圧配電用しゃ断装置の組み立て過程を示し、図４乃至図７は、低圧配電用しゃ断装置を構成する各ユニットの構成を示している。
【００１３】
図１において、低圧配電用しゃ断装置は、開閉器ユニット２１、ベースユニット２２、端部ユニット２３Ｌ、２３Ｒ及びこれら各ユニットを支持する取り付けレール２４からなり、外部回路２５と接続している。
【００１４】
ベースユニット２２は、図５（ａ）（正面側）及び同図（ｂ）（裏面側）で示すように、絶縁材によりほぼ平板状に形成されており、内部には図示しない一次側導体が図示横方向に沿って配設され、一体に埋め込まれている。この一次側導体の両端には凸形接触子と凹形接触子とからなる差込式の連結端子３１Ｒ、３１Ｌが設けられており、この連結端子３１Ｒ、３１Ｌ以外の一次側導体部分は絶縁材により覆われている。このベースユニット２２の両側面部は、他のベースユニットと相互に連結できるように、平断面が階段状を成すように形成されており、前記連結端子３１Ｒ、３１Ｌは、図示のように、この階段部分に露出して配置されている。
【００１５】
また、このベースユニット２２の前面には、図５（ａ）で示すように、図示しない一次側導体から分岐された差込式の分岐端子３２が配置されている。さらに、このベースユニット２２の後面には、図５（ｂ）で示すように、溝部３３が図示横方向に沿って形成されており、図１で示した取り付けレール２４との係合により、ベースユニット２２を取り付けレール２４に取り付けている。
【００１６】
開閉器ユニット２１は、上記ベースユニット２２の前面に取り付けられるもので、図４（ａ）（正面側）及び同図（ｂ）（裏面側）で示すように、絶縁性のケースを有し、その内部には上部の一次側端子と下部の二次側端子とが設けられている。また、ケース内の一次側端子と二次側端子との間には、これら端子間を開閉する接点（図の例では２極の接点）及びその開閉操作機構が配置されている。これら各部は、開閉操作機構のハンドル３５を除き、前述のように絶縁性のケースで覆われている。
【００１７】
このケースの背面は、前記ベースユニット２２の前面と接合可能な平面形状に形成されている。この背面には、図４（ｂ）で示すように、差込式の一次側端子３６が配設され、前記ベースユニット２２の前面に設けられた分岐端子３２と差込接接続可能に構成されている。
【００１８】
端部ユニット２３Ｌは、ベースユニット２２の左側部に取り付けられるもので、図６（ａ）（正面側）及び同図（ｂ）（裏面側）で示すように構成される。この端部ユニット２３Ｌは全体を絶縁材によりモールド成形されており、その正面から見て右側面、すなわち、ベースユニット２２の連結端子３１Ｌが露出する左側部との連結部は、この左側部と連結できるように階段形状に形成されている。また、この連結部分には、ベースユニット２２側の連結端子３１Ｌと差込式に連結接続される連結端子３７Ｌが設けられている。さらに、この端部ユニット２３Ｌの他の外面部分、すなわち、正面から見て左側部分には、前記連結端子３７Ｌと図示しない導体により導電接続された外部接続端子３８Ｌが設けられている。
【００１９】
また、端部ユニット２３Ｒは、図７（ａ）（正面側）及び同図（ｂ）（裏面側）で示すように、上記端部ユニット２３Ｌとほぼ対称な形状のもので、ベースユニット２２の右側部に取り付けられる。この端部ユニット２３Ｒは全体を絶縁材によりモールド成形されており、その裏面から見て右側面、すなわち、ベースユニット２２の連結端子３１Ｒが露出する右側部との連結部は、この右側部と連結できるように階段形状に形成されている。また、この連結部分には、ベースユニット２２側の連結端子３１Ｒと差込式に連結接続される連結端子３７Ｒが設けられている。さらに、この端部ユニット２３Ｒの他の外面部分、すなわち正面から見て右側部分には、前記連結端子３７Ｒと図示しない導体により導電接続された外部接続端子３８Ｒが設けられている。
【００２０】
また、これら端部ユニット２３Ｌ、２３Ｒの後面には、図６（ｂ）及び図７（ｂ）で示すように、溝部３９Ｌ，３９Ｒが図示横方向に沿って形成されており、図１で示した取り付けレール２４との係合により、端部ユニット２３Ｌ、２３Ｒを取り付けレール２４に取り付けことができる。
【００２１】
次に、上記構成の低圧配電用しゃ断器設備の組立過程を、図２および図３により説明する。
【００２２】
先ず、必要数（ここでは３個とする）のベースユニット２２と、それらの両端に設けられる端部ユニット２３Ｌ，２３Ｒを用意し、それらの裏面に設けた溝部３３及び３９Ｌ，３９Ｒを取り付けレール２４に係合させ、この取り付けレール２４に沿って配列する。
【００２３】
例えば、図２で示すように、端部ユニット２３Ｌを取り付けレール２４に取り付けた後、第１のベースユニット２２１を取り付けレール２４に取り付ける。このとき、ベースユニット２２１の図５（ｂ）で示した連結端子３１Ｌと、端部ユニット２３Ｌの連結部に設けた連結端子３７Ｌとを差し込み接続する。この連結作業により、端部ユニット２３Ｌと第１のベースユニット２２１とは、図３で示すように、一体的に連結される。この状態において、ベースユニット２２１内の図示しない一次側導体は、連結端子３１Ｌ，３７Ｌを経て外部接続端子３８Ｌと導電接続されている。
【００２４】
次に、第２のベースユニット２２２を取り付けレール２４に取り付け、この第２のベースユニット２２２の図５（ｂ）で示した連結端子３１Ｌと、前記第１のベースユニット２２１の図５（ａ）で示した連結端子３１Ｒとを差し込み接続する。この連結作業により、第１のベースユニット２２１と第２のベースユニット２２２とは、図３で示すように、一体的に連結される。また、この状態において、第２のベースユニット２２２内の図示しない一次側導体は、第１のベースユニット２２１内の図示しない一次側導体と導電接続されている。
【００２５】
次に、同様の作業により、第３のベースユニット２２３を、図３で示すように、第２のベースユニット２２２に連結し、最後に端部ユニット２３Ｌを第３のベースユニット２２３の図示右側部に一体的に連結する。このとき、第３のユニットベース２２３の、図５（ａ）で示した連結端子３１Ｒと端部ユニット２３Ｒの図７（ｂ） で示した連結端子３７Ｒとを差し込み接続する。
【００２６】
上記連結作業により、３個のベースユニット２２１，２２２，２２３と両側の端部ユニット２３Ｌ，２３Ｒとは、図３で示すように、取り付けレール２４に沿って一体的に連結される。また、各ベースユニット２２１，２２２，２２３内の図示しない一次側導体は、端部ユニット２３Ｌ，２３Ｒの外部接続端子３８Ｌ，３８Ｒ間において直列接続されている。
【００２７】
次に、各ベースユニット２２１，２２２，２２３の正面に開閉器ユニット２１をそれぞれ取り付ける。すなわち、開閉器ユニット２１の裏面には図４（ｂ）で示したように、差込式の一次側端子３６が設けられているので、この一次側端子３６と、ベースユニット２２１，２２２，２２３の正面に設けた差込式の分岐端子３２とを連結する。この組立作業により、各ベースユニット２２１，２２２，２２３の正面には、対応する開閉器ユニット２１がそれぞれ一体的に連結される。
【００２８】
上記連結作業により、各開閉器ユニット２１の一次側端子３６は分岐端子３２を介してベースユニット２２１，２２２，２２３内の図示しない一次側導体と接続される。このため、図１で示すように、外部接続端子３８Ｌに、図示しない電源回路と接続した外部配線２５を接続すると、各開閉器ユニット２１の一次側にはそれぞれ電源が印加される。したがって、ハンドル３５を操作して図示しない開閉接点をオンすれば、開閉器ユニット２１の下部に設けられた図示しない二次側端子に電源が供給され、この二次側端子に接続された図示しない二次側配線を介して図示しない負荷側に電源が供給される。
【００２９】
二次側配線については特に図示していないが、図１又は図４（ａ）で示した開閉器ユニット下部の保護カバー付き二次端子に個別に接続すれば充電部が外部に露出することがなく、安全性が向上する。
【００３０】
なお、図１において、端部ユニット２３Ｒの外部接続端子３８Ｒには何も接続されていないが、もちろん、電源供給を要する他の設備等への外部配線を接続してもよい。
【００３１】
ここで、二次側配線は、前述のように各開閉器ユニット２１に個別に接続する構成となっている。このような構成とすることにより、開閉器ユニット２１を脱着する場合は、必ず二次側配線を離線する必要があり、取付け接続時、誤って接点を投入した場合や、接点が投入状態で取付け接続しても、誤って負荷に電源を送電することはなく、より安全に作業を行うことができる
また、回線の追加や容量変更等で交換をする際、一次側の配線離線作業が不要となり、容易に開閉器ユニット２１の追加や交換を行うことができ、作業時間を短縮する事が出来る。
【００３２】
このように、各ベースユニット２２は、従来の穴開け加工を不要とし、容易に取付ができ、且つ、従来の一次側の配線を不要とする。すなわち、端部ユニット２３Ｌ，２３Ｒ及び各ベースユニット２２の連結により一次側が配線され、さらにベースユニット２２に開閉器ユニット２１を連結することにより、一次側の接続を可能としているため、容易に負荷の増設ができる。
【００３３】
開閉器ユニット２１は、差込式の一次側端子とベースユニット２１の分岐端子３２との連結により、容易に取付け・接続ができる。従来、ＭＣＣＢを容量変更等のために交換する際必要であった、一次側の配線離線作業が不要となり、交換作業が容易になる。
【００３４】
また、従来のＭＣＣＢは、図８及び図９で示したように、一次側配線１２及び二次側配線１３、バックスタッド端子１４の各接続部分が充電露出部となっていたが、上記実施の形態によれば、外部接続端子３８Ｌ，３８Ｒ及び二次側接続端子（いずれも保護カバー付き）以外は充電部が露出しておらず、従来型に比べ安全に使用することができる。
【００３５】
ベースユニット化することにより一次側配線を不要としたので、配電盤の省スペース化が可能となる。
【００３６】
以上の特徴から、従来のＭＣＣＢの増設・交換時、停電時間の制約などで作業時間や部分活線作業などのリスクを伴っていたが、上記実施の形態によれば、増設・交換時の作業時間を短縮させる事が可能であり、又、停電時間の短縮をも可能であり、リスク低減が可能となる。しかも、省スペース化が図れる事から、取付け容量も増やす事が可能である。
【図面の簡単な説明】
【００３７】
【図１】本発明による低圧配電用しゃ断器設備の一実施の形態を示す斜視図である。
【図２】同上一実施の形態におけるベースユニットと端部ユニットとの取り付け作業を説明する斜視図である。
【図３】同上一実施の形態における開閉器ユニットの取り付け作業を説明する斜視図である。
【図４】同上一実施の形態における開閉器ユニットを示しており、（ａ）は正面斜視図、（ｂ）は裏面斜視図である。
【図５】同上一実施の形態におけるベースユニットを示しており、（ａ）は正面斜視図、（ｂ）は裏面斜視図である。
【図６】同上一実施の形態における一方の端部ユニットを示しており、（ａ）は正面斜視図、（ｂ）は裏面斜視図である。
【図７】同上一実施の形態における他方の端部ユニットを示しており、（ａ）は正面斜視図、（ｂ）は裏面斜視図である。
【図８】従来装置の正面斜視図である。
【図９】他の従来装置を示しており、（ａ）は正面斜視図、（ｂ）は裏面斜視図である。
【符号の説明】
【００３８】
２１    開閉器ユニット
２２    ベースユニット
２３Ｒ，２３Ｌ    端部ユニット
３１Ｒ，３１Ｌ    連結端子
３２    分岐端子
３６    一次側端子
３７Ｌ，３７Ｒ    連結端子
３８Ｌ，３８Ｒ    外部接続端子
【図１】
2006149118.tif 000003
【図２】
2006149118.tif 000004
【図３】
2006149118.tif 000005
【図４】
2006149118.tif 000006
【図５】
2006149118.tif 000007
【図６】
2006149118.tif 000008
【図７】
2006149118.tif 000009
【図８】
2006149118.tif 000010
【図９】
2006149118.tif 000011